(57)【要約】【課題】閉じ込め状態となったときに、より好適な対応を行なうエレベータを提供することである。【解決手段】特定の着床階２７ａで乗場扉２８ａが戸開せずに乗りかご２０の中で一時的に閉じ込め状態となったときの対応を行なう制御盤１８を備えるエレベータ１０において、制御盤１８は、上記特定の着床階２７ａ以外の着床階２７ｂ，２７ｃへ乗りかご２０を移動させて上記特定の着床階２７ａ以外の着床階２７ｂ，２７ｃの乗場扉２８ｂ，２８ｃを戸開した後に、エレベータ１０を一時的に停止させた状態のままとする。【選択図】図１
2012131627.tif 000002
【特許請求の範囲】
【請求項１】
特定の着床階で乗場扉が戸開せずに乗りかごの中で一時的に閉じ込め状態となったときの対応を行なう閉じ込め対応処理部を備えるエレベータにおいて、
前記閉じ込め対応処理部は、
前記特定の着床階以外の着床階へ前記乗りかごを移動させて前記特定の着床階以外の着床階の乗場扉を戸開した後に、前記エレベータを一時的に停止させた状態のままとすることを特徴とするエレベータ。
【請求項２】
請求項１に記載のエレベータにおいて、
前記閉じ込め対応処理部は、
前記乗りかご内の照明を消灯させることを特徴とするエレベータ。
【請求項３】
請求項１または請求項２に記載のエレベータにおいて、
前記閉じ込め対応処理部は、
前記乗りかご内に設けられるかご操作盤のうちの戸開操作釦以外の操作を禁止することを特徴とするエレベータ。
【請求項４】
請求項３に記載のエレベータにおいて、
前記閉じ込め対応処理部は、
前記戸開操作釦を点灯させることを特徴とするエレベータ。
【請求項５】
請求項１から請求項４のいずれか１に記載のエレベータにおいて、
前記閉じ込め対応処理部は、
乗場壁に設けられる表示部及び前記乗りかご内に設けられるかご操作盤の表示部の少なくとも１つに、前記エレベータを一時的に停止させている旨の表示をさせることを特徴とするエレベータ。
【請求項６】
請求項１から請求項４のいずれか１に記載のエレベータにおいて、
前記閉じ込め対応処理部は、
乗場壁に設けられる乗場休止灯を点灯させることを特徴とするエレベータ。
【請求項７】
請求項１から請求項６のいずれか１に記載のエレベータにおいて、
前記エレベータは、複数の乗りかごを備え、
前記閉じ込め対応処理部は、
前記複数の乗りかごのうち、閉じ込め状態となっている乗りかごの呼び釦の操作を禁止することを特徴とするエレベータ。
【請求項８】
請求項１から請求項７のいずれか１に記載のエレベータにおいて、
前記閉じ込め対応処理部は、
前記乗りかごが閉じ込め状態であるため、前記エレベータを一時的に停止させている旨を遠隔監視センタに通知することを特徴とするエレベータ。
【請求項９】
請求項８に記載のエレベータにおいて、
前記閉じ込め対応処理部は、
乗客に対して前記エレベータを一時的に停止させている旨を音声によって報知することを特徴とするエレベータ。
【発明の詳細な説明】
【技術分野】
【０００１】
本発明は、エレベータに係り、特に、特定の着床階で乗場扉が戸開せずに乗りかごの中で一時的に閉じ込め状態となったときの対応を行なう閉じ込め対応処理部を備えるエレベータに関する。
【背景技術】
【０００２】
現在、商業施設等の様々な場所において、エレベータが設置されている。エレベータを長期間使用するために定期的にメンテナンスが行われているが、メンテナンスを実施しているにもかかわらず、種々の原因によって各要素が故障してしまう事がある。例えば、エレベータが設置された商業施設のある特定の着床階で乗場扉が開かないということが発生しうる。この場合には、乗りかご内にいる乗客は当該特定の着床階に降りることができないため、いわゆる閉じ込め状態となってしまうことがある。これに対して、種々の対応策が考えられている。
【０００３】
本発明に関連する技術として、例えば、特許文献１には、かごに設置されてかご内に送風する送風装置と、送風装置の不作動時に、かご内での乗客閉じ込めが発生したときに送風装置を作動させるよう制御する制御部と、を備えるエレベータの閉じ込め時作動システムが開示されている。
【先行技術文献】
【特許文献】
【０００４】
【特許文献１】特開２００９−２５６０２１号公報
【発明の概要】
【発明が解決しようとする課題】
【０００５】
ところで、上述した閉じ込め対策の１つとして、閉じ込め状態が発生したことを検知して、乗場扉が開かない着床階以外の着床階へ乗りかごを移動させて乗客を降車させ、その後に通常運転に復帰させるといった対応がある。しかし、このような対応では、保守作業員が到着して、故障している乗場扉について修理等の対応を行わない限りは、同様に閉じ込め状態が発生し、乗客に不便をかけてしまう可能性がある。
【０００６】
本発明の目的は、閉じ込め状態となったときに、より好適な対応を行なうエレベータを提供することである。
【課題を解決するための手段】
【０００７】
本発明に係るエレベータは、特定の着床階で乗場扉が戸開せずに乗りかごの中で一時的に閉じ込め状態となったときの対応を行なう閉じ込め対応処理部を備えるエレベータにおいて、前記閉じ込め対応処理部は、前記特定の着床階以外の着床階へ前記乗りかごを移動させて前記特定の着床階以外の着床階の乗場扉を戸開した後に、前記エレベータを一時的に停止させた状態のままとすることを特徴とする。
【０００８】
また、本発明に係るエレベータにおいて、前記閉じ込め対応処理部は、前記乗りかご内の照明を消灯させることが好ましい。
【０００９】
また、本発明に係るエレベータにおいて、前記閉じ込め対応処理部は、前記乗りかご内に設けられるかご操作盤のうちの戸開操作釦以外の操作を禁止することが好ましい。
【００１０】
また、本発明に係るエレベータにおいて、前記閉じ込め対応処理部は、前記戸開操作釦を点灯させることが好ましい。
【００１１】
また、本発明に係るエレベータにおいて、前記閉じ込め対応処理部は、乗場壁に設けられる表示部及び前記乗りかご内に設けられるかご操作盤の表示部の少なくとも１つに、前記エレベータを一時的に停止させている旨の表示をさせることが好ましい。
【００１２】
また、本発明に係るエレベータにおいて、前記閉じ込め対応処理部は、乗場壁に設けられる乗場休止灯を点灯させることが好ましい。
【００１３】
また、本発明に係るエレベータにおいて、前記エレベータは、複数の乗りかごを備え、前記閉じ込め対応処理部は、前記複数の乗りかごのうち、閉じ込め状態となっている乗りかごの呼び釦の操作を禁止することが好ましい。
【００１４】
また、本発明に係るエレベータにおいて、前記閉じ込め対応処理部は、前記乗りかごが閉じ込め状態であるため、前記エレベータを一時的に停止させている旨を遠隔監視センタに通知することが好ましい。
【００１５】
また、本発明に係るエレベータにおいて、前記閉じ込め対応処理部は、乗客に対して前記エレベータを一時的に停止させている旨を音声によって報知することが好ましい。
【発明の効果】
【００１６】
上記構成によれば、乗場扉が開かない特定の着床階以外の着床階へ乗りかごを移動させて、当該特定の着床階以外の着床階の乗場扉を戸開した後に、エレベータを一時的に停止させた状態のままとする。これにより、同様に閉じ込め状態が発生することを防止することができる。したがって、乗客に不便をかけてしまうことを抑制することができる。
【図面の簡単な説明】
【００１７】
【図１】本発明に係る実施の形態において、エレベータを示す図である。
【図２】本発明に係る実施の形態において、着床階について、乗場扉を正面から見た様子を示す図である。
【図３】本発明に係る実施の形態において、制御盤の各要素を示す図である。
【図４】本発明に係る実施の形態において、乗りかごの中での一時的な閉じ込め状態となったときの閉じ込め対応処理を行う手順を示すフローチャートである。
【図５】本発明に係る実施の形態の変形例において、着床階について、乗場扉を正面から見た様子を示す図である。
【発明を実施するための形態】
【００１８】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１９】
図１は、エレベータ１０を示す図である。エレベータ１０は、主ロープ１２と、釣合錘１４と、巻上機１６と、制御盤１８と、乗りかご２０と、着床階２７ａ，２７ｂ，２７ｃ等と、乗場扉２８ａ，２８ｂ，２８ｃ等と、昇降路３０とを備える。また、エレベータ１０は、乗りかご２０を着床階２７ａ，２７ｂ，２７ｃ等の間を昇降させることで乗客５を移動させる。
【００２０】
主ロープ１２は、乗りかご２０を吊るすためのロープであり、巻上機１６に巻き掛けられている。そして、主ロープ１２の一方端は乗りかご２０に接続され、他方端は釣合錘１４が接続されている。
【００２１】
釣合錘１４は、主ロープ１２の他方端に接続され、主ロープ１２の一方端に接続される乗りかご２０との間でバランスを取るために必要な重量が設定される。
【００２２】
巻上機１６は、制御盤１８の制御によって、巻き掛けられた主ロープ１２を駆動させることで乗りかご２０を昇降させるための装置である。また、巻上機１６は、機械室８に配置されている。
【００２３】
乗りかご２０は、制御盤１８の制御によって、巻上機１６が作動すると昇降路３０内を昇降し、乗客５を乗せるための構造物である。乗りかご２０は、かご操作盤２４と、乗りかご扉２６とを含む。
【００２４】
かご操作盤２４は、表示画面２４２と、行先階選択釦２４４と、戸開操作釦２４６と、戸閉操作釦２４８とを有する。表示画面２４２は、乗りかご２０が現在位置している階床やその他の情報を表示するための画面である。行先階選択釦２４４は、乗りかご２０内に乗り込んだ乗客５が行先階を選択するための押し釦である。戸開操作釦２４６は、乗りかご扉２６及び乗りかご２０が着床している着床階２７ａ，２７ｂ，２７ｃの乗場扉２８ａ，２８ｂ，２８ｃを開くための押し釦である。戸閉操作釦２４８は、乗りかご扉２６及び乗りかご２０が着床している着床階２７ａ，２７ｂ，２７ｃの乗場扉２８ａ，２８ｂ，２８ｃを閉じるための押し釦である。
【００２５】
乗りかご扉２６は、乗りかご２０に設けられる扉であり、乗りかご２０が着床階２７ａ，２７ｂ，２７ｃ等に着床した際に、当該着床階２７ａ，２７ｂ，２７ｃ等の乗場扉２８ａ，２８ｂ，２８ｃ等とともに開く。これにより、乗客５が乗りかご２０に対して乗り降りすることができる。
【００２６】
着床階２７ａ，２７ｂ，２７ｃは、エレベータ１０が設置される商業施設等の各階の乗場を有している。各着床階２７ａ，２７ｂ，２７ｃは、それぞれ同様の構成を有するため、その代表例として着床階２７ｂについて、図２を用いて説明する。図２は、着床階２７ｂにおいて、乗場扉２８ｂを正面から見た様子を示す図である。着床階２７ｂの乗場壁には、それぞれ、乗りかご２０が現在位置している階床を表示するインジケータ２７２ｂと、乗りかご２０に対する呼び登録を行う呼び釦２７４ｂと、エレベータ１０に関する種々の情報をお知らせするための表示装置２７６ｂとを有する。
【００２７】
再び図１に戻って、乗場扉２８ａ，２８ｂ，２８ｃは、着床階２７ａ，２７ｂ，２７ｃの乗場に設けられる扉であり、乗りかご２０が着床した際に、乗りかご扉２６とともに開く。これにより、乗客５が乗りかご２０に対して乗り降りすることができる。
【００２８】
制御盤１８は、乗りかご２０の昇降速度や運行管理等を含んだエレベータ１０全体の運行に関する制御を行う装置である。制御盤１８は、動作モードが通常モードのときは、通常通りの運行制御を行う。また、制御盤１８は、動作モードが点検モードのときは、保守点検のための運行制御を行う。なお、制御盤１８は、機械室８に配置されており、エレベータ１０を構成する各要素を制御するための制御線が種々存在しているが、図を簡単にするために、図１では巻上機１６と接続される制御線以外の制御線については省略している。以下では、制御盤１８の機能のうち、乗りかご２０の中での一時的な閉じ込め状態となったときの閉じ込め対応処理機能について説明する。
【００２９】
図３は、制御盤１８の各要素を示す図である。制御盤１８は、閉じ込め判断処理部１８２と、エレベータ停止処理部１８４と、照明消灯処理部１８６と、釦操作禁止処理部１８８と、釦点灯処理部１９０と、表示処理部１９２と、通知処理部１９４と、音声報知処理部１９６とを有する。
【００３０】
閉じ込め判断処理部１８２は、エレベータ１０において、閉じ込め状態が発生しているか否かについて判断する。ここで、閉じ込め状態とは、着床階２７ａ，２７ｂ，２７ｃの乗場扉２８ａ，２８ｂ，２８ｃのうち、乗りかご２０の行先階として設定された着床階の乗場扉が開かずに乗客５が降車できず、乗りかご２０内に乗客５が閉じ込められる状態をいう。具体的には、閉じ込め判断処理部１８２は、以下の３つの条件のうち、いずれかが満たされたときに閉じ込め状態が発生していると判断する。もちろん、下記３つの条件以外の条件が満たされたときに、閉じ込め状態が発生していると判断してもよい。
【００３１】
１つ目は、各着床階２７ａ，２７ｂ，２７ｃ等において、呼び釦２７４ａ，２７４ｂ，２７４ｃ等のいずれかにおいて呼び登録されて、乗りかご２０が走行して停止した後に、乗りかご２０の着床階で乗りかご扉及び乗場扉が開かない状態が１分継続した場合である。
【００３２】
２つ目は、各着床階２７ａ，２７ｂ，２７ｃ等において、呼び釦２７４ａ，２７４ｂ，２７４ｃ等のいずれかにおいて呼び登録されて、乗りかご２０が走行することもなく、乗りかご扉２６及び乗場扉２８ａ，２８ｂ，２８ｃが開かない状態が１分継続した場合である。
【００３３】
３つ目は、各着床階２７ａ，２７ｂ，２７ｃ等において、呼び釦２７４ａ，２７４ｂ，２７４ｃ等のいずれかにおいて呼び登録されて、乗りかご２０が走行を開始した後に６分間、乗りかご扉２６及び乗場扉２８ａ，２８ｂ，２８ｃが開かない状態が継続した場合である。
【００３４】
エレベータ停止処理部１８４は、閉じ込め判断処理部１８２によって閉じ込め状態が発生していると判断されたときは、着床階２７ａ，２７ｂ，２７ｃ等のうち、乗場扉２８ａ，２８ｂ，２８ｃ等の故障が発生していると判断される階以外の着床階へ乗りかご２０を移動させる。そして、その着床階以外の着床階に乗りかご２０を停止させた後にその乗場扉を戸開する。さらに、保守作業員が到着し、故障している乗場扉の修理を終えるまでの間、エレベータ１０を一時的に停止させた状態とする。具体的には、保守作業員が到着して故障している乗場扉の修理を終えるまでの間は、各着床階２７ａ，２７ｂ，２７ｃ等の呼び釦２７４ａ，２７４ｂ，２７４ｃによる呼びを受け付けないようにする。
【００３５】
照明消灯処理部１８６は、エレベータ停止処理部１８４によって、エレベータ１０を一時的に停止させた状態とした後に、乗りかご２０内の照明を消灯する機能を有する。
【００３６】
釦操作禁止処理部１８８は、エレベータ停止処理部１８４によって、エレベータ１０を一時的に停止させた状態とした後に、乗りかご２０内に設けられるかご操作盤２４のうちの戸開操作釦２４６以外の釦の操作を禁止する。具体的には、戸開操作釦２４６の操作は有効のままであるが、行先階選択釦２４４及び戸閉操作釦２４８の操作は無効の状態とする。
【００３７】
釦点灯処理部１９０は、エレベータ停止処理部１８４によって、エレベータ１０を一時的に停止させた状態とした後に、戸開操作釦２４６を点灯させる機能を有する。
【００３８】
表示処理部１９２は、エレベータ停止処理部１８４によって、エレベータ１０を一時的に停止させた状態とした後に、各着床階２７ａ，２７ｂ，２７ｃの表示装置２７６ａ，２７６ｂ，２７６ｃ及び乗りかご２０内に設けられるかご操作盤２４の表示画面２４２にエレベータ１０を一時的に停止させている旨の表示をさせる。具体的には、「現在、○○階の乗場扉が故障中で一時的にエレベータを停止させております。対応者が向かっておりますので、復旧まで今しばらくエレベータの使用をお控えください」といった内容の表示を行う。
【００３９】
通知処理部１９４は、エレベータ停止処理部１８４によって、エレベータ１０を一時的に停止させた状態とした後に、閉じ込め状態が発生していることが原因でエレベータ１０を一時的に停止させている旨を、エレベータ１０を遠隔監視する遠隔監視センタ（不図示）に通知する機能を有する。
【００４０】
音声報知処理部１９６は、エレベータ停止処理部１８４によって、エレベータ１０を一時的に停止させた状態とした後に、各着床階２７にいる乗客６及び乗りかご２０内にいる乗客５に対してエレベータ１０を一時的に停止させている旨を音声によって報知する機能を有する。具体的には、「現在、○○階の乗場扉が故障中で一時的にエレベータを停止させております。対応者が向かっておりますので、復旧まで今しばらくエレベータの使用をお控えください」といった内容の音声案内を行う。
【００４１】
上記構成のエレベータ１０の作用について、図１〜図４を用いて説明する。図４は、乗客５が乗りかご２０の中での一時的な閉じ込め状態となったときの閉じ込め対応処理を行う手順を示すフローチャートである。まず、最初に制御盤１８は、エレベータ１０において、閉じ込め状態が発生しているか否かについて判断する（Ｓ１０）。この工程は、制御盤１８の閉じ込め判断処理部１８２の機能によって実行される。Ｓ１０において、閉じ込め状態が発生していないと判断したときは再びＳ１０へと戻る。
【００４２】
Ｓ１０において、閉じ込め状態が発生していると判断されたときは、着床階２７ａ，２７ｂ，２７ｃ等のうち、乗場扉２８ａ，２８ｂ，２８ｃ等の故障が発生していると判断される階以外の着床階で乗りかご２０を停止させて戸開し、エレベータ１０を一時的に停止させた状態とする（Ｓ１２）。この工程は、制御盤１８のエレベータ停止処理部１８４の機能によって実行される。具体的には、例えば、着床階２７ｂの乗場扉２８ｂが開かずに閉じ込め状態が発生したときは、着床階２７ａあるいは着床階２７ｃに移動させて停止させる。そして、例えば、着床階２７ａに停止させて乗場扉２８ａを開いた後に、保守作業員が到着して故障している乗場扉２８ｂの修理を終えるまでの間は、各着床階２７ａ，２７ｂ，２７ｃ等の呼び釦２７４ａ，２７４ｂ，２７４ｃによる呼びを受け付けないようにしてエレベータ１０を一時的に停止させる。これにより、同様に閉じ込め状態が発生することを防止することができ、乗客５，６に不便をかけてしまうこと抑制することができる。
【００４３】
そして、乗りかご２０内の照明を消灯する（Ｓ１４）。この工程は、制御盤１８の照明消灯処理部１８６の機能によって実行される。これにより、エレベータ１０を一時的に停止していることを間接的に乗客５に知らせることができ、乗りかご２０からの降車を促すことができる。
【００４４】
次に、乗りかご２０内に設けられるかご操作盤２４のうちの戸開操作釦２４６以外の釦の操作を禁止する（Ｓ１６）。この工程は、制御盤１８の釦操作禁止処理部１８８の機能によって実行される。これにより、エレベータ１０の停止中に、万一、乗りかご２０内に乗客５が乗車したままであっても、戸開操作釦２４６を操作して乗りかご扉２６及び乗場扉２８ａを開くことができる。したがって、乗客５は乗りかご２０から降車することができる。
【００４５】
また、戸開操作釦２４６を点灯させる機能を有する（Ｓ１８）。この工程は、制御盤１８の釦点灯処理部１９０の機能によって実行される。これにより、乗りかご２０内の照明が消灯された場合であっても、戸開操作釦２４６の位置が確認しやすいため、乗客５は、容易に戸開操作釦２４６を操作して乗りかご２０から降車することができる。
【００４６】
さらに、各着床階２７ａ，２７ｂ，２７ｃの表示装置２７６ａ，２７６ｂ，２７６ｃ及び乗りかご２０内に設けられるかご操作盤２４の表示画面２４２に、エレベータ１０を一時的に停止させている旨の表示をさせる（Ｓ２０）。この工程は、制御盤１８の表示処理部１９２の機能によって実行される。これにより、乗りかご２０内にいる乗客５に対しては乗りかご２０からの降車を促すことができる。そして、各着床階２７ａ，２７ｂ，２７ｃで乗りかご２０を待っている乗客６に対しては注意喚起できるため、同様に閉じ込め状態が発生することを防止することができ、乗客６に不便をかけてしまうこと抑制することができる。
【００４７】
また、閉じ込め状態が発生していることが原因でエレベータ１０を一時的に停止させている旨を、エレベータ１０を遠隔監視する遠隔監視センタに通知する（Ｓ２２）。この工程は、制御盤１８の通知処理部１９４の機能によって実行される。これにより、例えば、乗場扉２８ｂが故障している場合に、保守作業員が乗場扉２８ｂの修理等の対応を迅速に行うことができる。
【００４８】
そして、エレベータ１０を一時的に停止させている旨を音声によっても報知する（Ｓ２４）。この工程は、制御盤１８の音声報知処理部１９６の機能によって実行される。これにより、より確実に乗りかご２０内にいる乗客５及び各着床階２７ａ，２７ｂ，２７ｃにいる乗客６に報知することができる。したがって、乗りかご２０からの降車を促すことができるとともに、同様に閉じ込め状態が発生することを防止することができ、乗客６に不便をかけてしまうこと抑制することができる。
【００４９】
このように、エレベータ１０によれば、例えば、着床階２７ｂにおいて、閉じ込め状態が発生した場合に、着床階２７ａに移動して乗場扉２８ａを開いて乗客５を降車させた後にエレベータ１０を一時的に停止する。これにより、同様に閉じ込め状態が発生することを防止することができ、乗客５，６に不便をかけてしまうことを抑制することができる。
【００５０】
次に、エレベータ１０の変形例であるエレベータ１１について説明する。エレベータ１１とエレベータ１０の相違点は、乗りかごが２つ設けられている点と、乗場壁に設けられる表示装置の代わりに乗場休止灯が設けられている点と、制御盤１８のエレベータ停止処理部１８４と表示処理部１９２の機能であるため、その相違点を中心に説明する。
【００５１】
図５は、エレベータ１１において、着床階２７ｂを示す図（エレベータ１０を示す図２に対応した図）である。エレベータ１１には、乗りかご２０１と、乗りかご２０２とを有している。そして、乗りかご２０１に対応して乗場扉２８１ｂが設けられており、乗りかご２０２に対応して乗場扉２８２ｂが設けられている。そして、乗場扉２８１ｂの周りには、インジケータ２７２１ｂと、呼び釦２７４１ｂと、乗場休止灯２７７１ｂとが設けられている。また、乗場扉２８２ｂの周りには、インジケータ２７２２ｂと、呼び釦２７４２ｂと、乗場休止灯２７７２ｂとが設けられている。
【００５２】
乗場休止灯２７７１ｂには、乗りかご２０１が停止中であることを示す文字が表示可能な装置であり、乗りかご２０１が停止中のときに点灯して乗客６にお知らせする。そして、乗場休止灯２７７２ｂには、乗りかご２０２が停止中であることを示す文字が表示可能な装置であり、乗りかご２０２が停止中のときに点灯して乗客６にお知らせする。
【００５３】
エレベータ停止処理部１８４は、閉じ込め判断処理部１８２によって閉じ込めが発生していると判断されたときは、着床階２７ａ，２７ｂ，２７ｃ等のうち、乗場扉２８１ａ，２８２ａ，２８１ｂ，２８２ｂ，２８１ｃ，２８２ｃ等の故障が発生していると判断される階以外の着床階へ、乗りかご２０１，２０２のうち故障している乗場扉に対応する乗りかごを移動させる。そして、その着床階以外の着床階に対応する乗りかごを停止させた後にその乗場扉を戸開する。さらに、エレベータ１１において、当該乗りかごを一時的に停止させた状態とする。具体的には、その後に各着床階２７ａ，２７ｂ，２７ｃの呼び釦２７４１ａ，２７４２ａ，２７４１ｂ，２７４２ｂ，２７４１ｃ，２７４２ｃによる呼びを受け付けないようにする。具体的には、乗りかご２０１と乗りかご２０２のうち、例えば、乗りかご２０１に対応する乗場扉２８１ｂが故障している場合には、乗りかご２０１に対応する呼び釦２７４１ａ，２７４１ｂ，２７４１ｃの操作を無効とし、乗りかご２０２に対応する呼び釦２７４２ａ，２７４２ｂ，２７４２ｃの操作を有効のままとする。
【００５４】
表示処理部１９２は、エレベータ停止処理部１８４によって、エレベータ１１において、当該乗りかごを一時的に停止させた状態とした後に、各着床階２７ａ，２７ｂ，２７ｃの乗場休止灯２７７１ａ，２７７２ａ，２７７１ｂ，２７７２ｂ，２７７１ｃ，２７７２ｃ及び乗りかご２０内に設けられるかご操作盤２４の表示画面２４２にエレベータ１１の当該乗りかごを一時的に停止させている旨の表示をさせる。具体的には、乗りかご２０１と乗りかご２０２のうち、例えば、乗りかご２０１に対応する乗場扉２８１ｂが故障している場合には、乗りかご２０１に対応する乗場休止灯２７７１ａ，２７７１ｂ，２７７１ｃは点灯させ、乗りかご２０２に対応する乗場休止灯２７７２ａ，２７７２ｂ，２７７２ｃは消灯したままの状態とする。
【００５５】
上記構成のエレベータ１１の作用について説明する。エレベータ１１は、２つの乗りかご２０１，２０２を有しているため、このうち一方の乗りかごで閉じ込め状態が発生した場合であっても他方は利用することができる。具体的には、閉じ込め状態が発生している乗りかごに対応する呼び釦の操作を禁止するとともに、乗りかごに対応する乗場休止灯を点灯させることで乗客６に対して他方の乗りかごの利用を促す事ができる。また、これにより、同様に閉じ込め状態が発生することを防止することができ、乗客６に不便をかけてしまうこと抑制することができる。
【符号の説明】
【００５６】
５，６  乗客、８  機械室、１０，１１  エレベータ、１２  主ロープ、１４  釣合錘、１６  巻上機、１８  制御盤、２４  かご操作盤、２６  乗りかご扉、２７ａ，２７ｂ，２７ｃ  着床階、２８ａ，２８ｂ，２８ｃ  乗場扉、３０  昇降路、１８２  閉じ込め判断処理部、１８４  エレベータ停止処理部、１８６  照明消灯処理部、１８８  釦操作禁止処理部、１９０  釦点灯処理部、１９２  表示処理部、１９４  通知処理部、１９６  音声報知処理部、２４２  表示画面、２４４  行先階選択釦、２４６  戸開操作釦、２４８  戸閉操作釦、２７２ａ，２７２ｂ，２７２ｃ  インジケータ、２７４ａ，２７４ｂ，２７４ｃ  呼び釦、２７６ａ，２７６ｂ，２７６ｃ  表示装置、２８１ａ，２８２ａ，２８１ｂ，２８２ｂ，２８１ｃ，２８２ｃ  乗場、２７２１ａ，２７２２ａ，２７２１ｂ、２７２２ｂ，２７２１ｃ，２７２２ｃ  インジケータ、２７４１ａ，２７４２ａ，２７４１ｂ，２７４２ｂ，２７４１ｃ，２７４２ｃ  呼び釦、２７７１ａ，２７７２ａ，２７７１ｂ，２７７２ｂ，２７７１ｃ，２７７２ｃ  乗場休止灯。
【図１】
2012131627.tif 000003
【図２】
2012131627.tif 000004
【図３】
2012131627.tif 000005
【図４】
2012131627.tif 000006
【図５】
2012131627.tif 000007